(57)【特許請求の範囲】
【請求項１】
アクセスポイントに接続してサービスを提供される無線端末システムにおいて、
接続履歴のあるアクセスポイントの品質ログ情報を収集して端末生成品質ログ情報を生成及び保持する品質情報保持部と、
アクセスポイントに接続しようとする場合、前記端末生成品質ログ情報に基づいて接続可能なアクセスポイントのうちの１つを選択するアクセスポイント選択部と、
前記選択されたアクセスポイントに接続要求を送信するリクエスト送信部と、
を含み、
前記品質情報保持部は、
前記収集された品質ログ情報及び前記無線端末システムの位置情報に基づいて前記接続履歴のあるアクセスポイントに接続した位置に関する情報、前記接続履歴のあるアクセスポイントの識別子に関する情報、及び前記接続履歴のあるアクセスポイントの品質情報を含む前記端末生成品質ログ情報を生成し、
前記アクセスポイント選択部は、
前記位置に係る前記品質情報に基づいて前記接続可能なアクセスポイントのうちの１つを選択し、前記位置と現在の位置とが一致しない場合、位置の差異に対する加重値を前記品質情報に付与する無線端末システム。
【請求項２】
前記品質情報は、前記接続履歴のあるアクセスポイントとの無線リンクの品質が定量化された少なくとも１つの値を含むことを特徴とする請求項１に記載の無線端末システム。
【請求項３】
前記少なくとも１つの値は、前記接続履歴のあるアクセスポイントとの平均データ送信速度、最大データ送信速度、最小データ送信速度、及び信号強度のうち少なくとも１つに対する値を含むことを特徴とする請求項２に記載の無線端末システム。
【請求項４】
前記識別子に関する情報は、前記接続履歴のあるアクセスポイントのＳＳＩＤ、及びＭＡＣアドレスのうち少なくとも１つを含むことを特徴とする請求項１に記載の無線端末システム。
【請求項５】
前記端末生成品質ログ情報は、前記接続履歴のあるアクセスポイントに最も最近接続した時間に関する情報をさらに含むことを特徴とする請求項１に記載の無線端末システム。
【請求項６】
前記アクセスポイント選択部は、
現在の検索されるアクセスポイントの信号強度情報及び前記検索されるアクセスポイントの品質ログ情報のうち少なくとも１つをさらに用いて前記接続可能なアクセスポイントのうちの１つを選択することを特徴とする請求項１に記載の無線端末システム。
【請求項７】
前記選択されたアクセスポイントに前記端末生成品質ログ情報を送信する情報送信部をさらに含み、
前記送信された端末生成品質ログ情報は、前記選択されたアクセスポイントから少なくとも１つの他の無線端末システムに送信して共有されることを特徴とすることを特徴とする請求項１に記載の無線端末システム。
【請求項８】
前記端末生成品質ログ情報を少なくとも１つの他の無線端末システムに送信する情報送信部をさらに含むことを特徴とする請求項１に記載の無線端末システム。
【請求項９】
無線端末システムでアクセスポイントに接続する方法において、
接続履歴のあるアクセスポイントの品質ログ情報を収集して端末生成品質ログ情報を生成及び保持し、
アクセスポイントに接続しようとする場合、前記端末生成品質ログ情報に基づいて接続可能なアクセスポイントのうちの１つを選択し、
前記選択されたアクセスポイントに接続要求を送信すること、
を含み、
前記端末生成品質ログ情報を生成及び保持することは、
収集された前記品質ログ情報及び前記無線端末システムの位置情報に基づいて前記接続履歴のあるアクセスポイントに接続した位置に関する情報、前記接続履歴のあるアクセスポイントの識別子に関する情報、及び前記接続履歴のあるアクセスポイントの品質情報を含む前記端末生成品質ログ情報を生成し、
前記位置に係る前記品質情報に基づいて前記接続可能なアクセスポイントのうちの１つを選択し、前記位置と現在の位置とが一致しない場合、位置の差異に対する加重値を前記品質情報に付与する、ことを特徴とする接続方法。
【請求項１０】
請求項９の方法を行うプログラムを記録したコンピュータ読み出し可能記録媒体。
【発明の詳細な説明】
【技術分野】
【０００１】
本発明は、位置別アクセスポイントの品質情報を介してネットワークを選択するための無線端末システム、無線通信システム、サービス提供方法、及び接続方法に関する。
【背景技術】
【０００２】
無線ＬＡＮ（Ｗｉｒｅｌｅｓｓ  ＬＡＮ）は、有線ケーブルの代わりに電波（ＲＦ）や、光（または、赤外線）等を用いるネットワーク構築方式であり、ケーブルを接続せずに無線で近距離通信網のＬＡＮ環境を実現するものである。このような無線ＬＡＮは、根本的に近距離通信網のＬＡＮが有する特性をもつという点で一般的な携帯電話を介した無線インターネットとは大別されると言える。すなわちノートブックやＰＤＡに無線ＬＡＮカードだけ装着すれば、特定地域の中で通信ケーブルに接続しなくとも自由自在にインターネットに接続できるようにする技術である。
【０００３】
加入者は、アクセスポイント（Ａｃｃｅｓｓ  Ｐｏｉｎｔ）と呼ばれる無線接続装置を設置した地点から一定半径内外の地域で無線ＬＡＮカードを装着したノートブック、ＰＣ、ＰＤＡなどの無線端末機を用いて無線でインターネットを用いることができる。即ち、それぞれの無線端末機は、まずアクセスポイントに接続してネットワークに参加することによって、サービスの提供を受けることができるようになる。
【０００４】
本発明では、接続可能な複数のアクセスポイントのうち接続しようとするアクセスポイントを効率的に選択できるシステム及び方法を提案する。
【発明の概要】
【発明が解決しようとする課題】
【０００５】
無線端末機で接続履歴のあるアクセスポイントの品質ログ情報を収集してアクセスポイント別の品質ログ情報を生成及び保持し、保持されたアクセスポイント別の品質情報を用いてアクセスポイントを選択することによって、より良いサービス品質を提供するアクセスポイントを選択できるシステム及び方法を提供する。
【０００６】
無線端末機がアクセスポイントに接続する時の位置情報をさらに用いることによって、位置別の品質情報を介して現在の位置で最上のサービス品質を提供するアクセスポイントを選択できるシステム及び方法を提供する。
【０００７】
現在の無線端末機で検索されるアクセスポイントの信号強度情報、またはアクセスポイントから受信するアクセスポイントの品質ログ情報をさらに用いてアクセスポイントを選択することによって、より良いサービス品質を提供するアクセスポイントを選択できるシステム及び方法を提供する。
【０００８】
無線端末機で保持するアクセスポイントに対する品質情報を直接他の無線端末機に送信して共有したり、アクセスポイントを介して他の無線端末機に送信して共有できるシステム及び方法を提供する。
【課題を解決するための手段】
【０００９】
本発明の一実施形態によると、アクセスポイントを含む無線通信システムにおいて、無線端末機に含まれる端末生成品質ログ情報に基づいて無線端末機でアクセスポイントが選択される場合、無線端末機の接続要求を受信するリクエスト受信部と、接続要求に応じて無線端末機に対するサービスを提供するサービス提供部とを含み、端末生成品質ログ情報は、無線端末機と接続履歴のあるアクセスポイントの品質ログ情報を介して無線端末機で生成されることを特徴とする無線通信システムを提供する。
【００１０】
また、端末生成品質ログ情報は、接続履歴のあるアクセスポイントに無線端末機が接続した位置に関する情報、接続履歴のあるアクセスポイントの識別子に関する情報、及び接続履歴のあるアクセスポイントの品質情報を含んでもよい。
【００１１】
また、品質情報は、接続履歴のあるアクセスポイントと無線端末機との間の無線リンクの品質が定量化された少なくとも１つの値を含んでもよい。ここで、少なくとも１つの値は、前記接続履歴のあるアクセスポイントとの平均データ送信速度、最大データ送信速度、最小データ送信速度、及び信号強度のうち少なくとも１つに対する値を含んでもよい。
【００１２】
また、位置に係る品質情報に基づいて接続可能なアクセスポイントのうちの１つが無線端末機で選択されてもよい。ここで、前記位置と無線端末機の現在の位置とが一致しない場合、無線端末機で位置の差異に対する加重値を品質情報に付与してもよい。
【００１３】
また、識別子に関する情報は、接続履歴のあるアクセスポイントのＳＳＩＤ（Ｓｅｒｖｉｃｅ  Ｓｅｔ  Ｉｄｅｎｔｉｆｉｅｒ）、及びＭＡＣアドレス（ＭＡＣ  ａｄｄｒｅｓｓ）のうち少なくとも１つを含んでもよい。
【００１４】
また、端末生成品質ログ情報は、接続履歴のあるアクセスポイントに最も最近接続した時間に関する情報をさらに含んでもよい。
【００１５】
また、無線端末機で検索されるアクセスポイントの信号強度情報、及び検索されるアクセスポイントの品質ログ情報のうち少なくとも１つをさらに用いて接続履歴のあるアクセスポイントのうちの１つを無線端末機で選択してもよい。
【００１６】
また、無線通信システムは、無線端末機から端末生成品質ログ情報を受信する情報受信部と、受信した端末生成品質ログ情報を接続する少なくとも１つの他の無線端末機に送信して共有する情報送信部とをさらに含んでもよい。
【００１７】
また、無線端末機によって生成及び管理される端末生成品質ログ情報が無線端末機によって少なくとも１つの他の無線端末機に送信されて共有されてもよい。
【００１８】
また、本発明の一実施形態によると、アクセスポイントに接続してサービスを提供される無線端末システムにおいて、接続履歴のあるアクセスポイントの品質ログ情報を収集して端末生成品質ログ情報を生成及び保持する品質情報保持部と、アクセスポイントに接続しようとする場合、端末生成品質ログ情報に基づいて接続可能なアクセスポイントのうちの１つを選択するアクセスポイント選択部と、選択されたアクセスポイントに接続要求を送信するリクエスト送信部とを含む無線端末システムを提供する。
【００１９】
また、本発明の一実施形態によると、アクセスポイントを含む無線通信システムから無線端末機にサービスを提供する方法において、無線端末機に含まれる端末生成品質ログ情報に基づいて無線端末機でアクセスポイントが選択される場合、無線端末機の接続要求を受信し、接続要求に応じて無線端末機に対するサービスを提供することを含み、端末生成品質ログ情報は、無線端末機と接続履歴のあるアクセスポイントの品質ログ情報を介して無線端末機で生成されることを特徴とする、サービス提供方法を提供する。
【００２０】
また、本発明の一実施形態によると、無線端末システムでアクセスポイントに接続する方法において、接続履歴のあるアクセスポイントの品質ログ情報を収集して端末生成品質ログ情報を生成及び保持し、アクセスポイントに接続しようとする場合、端末生成品質ログ情報に基づいて接続可能なアクセスポイントのうちの１つを選択し、選択されたアクセスポイントに接続要求を送信することを含む接続方法を提供する。
【発明の効果】
【００２１】
無線端末機で接続履歴のあるアクセスポイントの品質ログ情報を収集してアクセスポイント別の品質ログ情報を生成及び保持し、保持されたアクセスポイント別の品質情報を用いてアクセスポイントを選択することによって、より良いサービス品質を提供するアクセスポイントを選択することができる。
【００２２】
無線端末機がアクセスポイントに接続する時の位置情報をさらに用いることによって、位置別の品質情報を介して現在の位置で最上のサービス品質を提供するアクセスポイントを選択することができる。
【００２３】
現在の無線端末機で検索されるアクセスポイントの信号強度情報、またはアクセスポイントから受信するアクセスポイントの品質ログ情報をさらに用いてアクセスポイントを選択することによって、より良いサービス品質を提供するアクセスポイントを選択することができる。
【００２４】
無線端末機で保持するアクセスポイントに対する品質情報を直接他の無線端末機に送信して共有したり、アクセスポイントを介して他の無線端末機に送信して共有することができる。
【図面の簡単な説明】
【００２５】
【図１】本発明の一実施形態における、無線端末機と複数のアクセスポイントを示す図である。
【図２】本発明の一実施形態における、無線端末システムの内部構成を説明するためのブロック図である。
【図３】本発明の一実施形態における、無線通信システムの内部構成を説明するためのブロック図である。
【図４】本発明の一実施形態における、無線端末システムが行う接続方法を示すフローチャートである。
【図５】本発明の一実施形態における、無線通信システムが行うサービス提供方法を示すフローチャートである。
【発明を実施するための形態】
【００２６】
以下、本発明の実施形態を図面を参照しながら詳細に説明する。
【００２７】
図１は、本発明の一実施形態における、無線端末機と複数のアクセスポイントを示す図である。図１は、複数のアクセスポイント（Ａｃｃｅｓｓ  Ｐｏｉｎｔ、ＡＰ）である第１ＡＰ（１１０）、第２ＡＰ（１２０）、及び第３ＡＰ（１３０）と、第１ＡＰ（１１０）のネットワーク領域１４０、第２ＡＰ（１２０）のネットワーク領域１５０、第３ＡＰ（１３０）のネットワーク領域１６０、そして第１無線端末機１７０、及び第２無線端末機１８０を示している。
【００２８】
ここで、複数のアクセスポイントは、互いに異なるネットワークに含まれてもよく、２つ以上のアクセスポイントが１つのネットワークに含まれてもよい。このようなアクセスポイントを含むネットワークは、ゲートウェイや認証サーバのような別途の構成を含んでもよいが、ネットワークの構成のために必要な構成要素は、既に良く知られているため、詳しい説明は省略する。
【００２９】
ここで、図１に示す第１無線端末機１７０は、第１ネットワーク領域１４０と第２ネットワーク領域１５０とに属しており、第２無線端末機１８０は、第１ネットワーク領域１４０と第３ネットワーク領域１６０とに属している。
【００３０】
即ち、第１無線端末機１７０は、第１ＡＰ（１１０）と第２ＡＰ（１２０）とのうちの１つのアクセスポイントに接続可能であり、第２無線端末機１８０は、第１ＡＰ（１１０）と第３ＡＰ（１３０）とのうちの１つのアクセスポイントに接続可能である。
【００３１】
したがって、第１無線端末機１７０及び第２無線端末機１８０は、各々どのアクセスポイントに接続するのかを選択する必要がある。
【００３２】
この場合、本発明の実施形態では、無線端末機が、接続履歴のあるアクセスポイントの品質ログ情報を収集し、アクセスポイントそれぞれの品質ログ情報の端末生成品質ログ情報を生成及び保持し、このような端末生成品質ログ情報を用いてリンクの品質がより優れたアクセスポイントを選択して接続を要求してもよい。例えば、再び図１を参照すれば、第１無線端末機１７０は、アクセスポイントに接続する度に接続したアクセスポイントの品質ログ情報を収集して端末生成品質ログ情報を予め生成及び保持してもよい。ここで、図１のように第１無線端末機１７０が第１ＡＰ（１１０）又は第２ＡＰ（１２０）に接続しようとする場合、保持された端末生成品質ログ情報を用いて第１ＡＰ（１１０）と第２ＡＰ（１２０）とのうちの１つのアクセスポイントを選択して接続してもよい。
【００３３】
また、本発明の実施形態では、無線端末機がアクセスポイントに接続した位置をさらに用いて端末生成品質ログ情報を生成することによって、無線端末機の現在の位置ごとに接続可能なアクセスポイントのうちで無線リンクの品質が最も良いアクセスポイントを選択するようにしてもよい。それだけでなく、端末生成品質ログ情報は、アクセスポイントの識別子に関する情報や最近の接続時間に関する情報なども含んでもよい。下の表１は、端末生成品質ログ情報を表に示した一例である。
【００３４】
【表１】
0006021368.tif 000002
【００３５】
ここで、「ＡＰ情報」は、上述したアクセスポイントの識別子に関する情報であり、無線端末機は接続履歴のあるアクセスポイントのＳＳＩＤ、及びＭＡＣアドレスのうち少なくとも１つを介してアクセスポイントを識別してもよい。
【００３６】
即ち、無線端末機は、表１に示した位置に関する情報、アクセスポイントの識別子に関する情報、最近の接続時間に関する情報、及び品質情報のうち少なくとも１つを含む端末生成品質ログ情報を生成してもよい。ここで、品質情報は、接続履歴のあるアクセスポイントと無線端末機との間の無線リンクの品質が定量化された少なくとも１つの値を含んでもよい。
【００３７】
図２は、本発明の一実施形態における、無線端末システムの内部構成を説明するためのブロック図である。本実施形態に係る無線端末システム２００は、図１で説明した第１無線端末機１７０及び第２無線端末機１８０のように無線ネットワークに接続しようとする端末機に対応してもよい。ここで、無線端末システム２００は、図２に示すように、品質情報保持部２１０、アクセスポイント選択部２２０、及びリクエスト送信部２３０を含んでもよい。
【００３８】
品質情報保持部２１０は、接続履歴のあるアクセスポイントの品質ログ情報を収集して端末生成品質ログ情報を生成及び保持する。即ち、無線端末システム２００は、アクセスポイントに接続する度に接続したアクセスポイントの品質ログ情報を収集してもよく、品質情報保持部２１０は、収集された品質ログ情報を用いて端末生成品質ログ情報を生成して格納し、追加的に品質ログ情報が受信される場合、格納された端末生成品質ログ情報を更新して保持してもよい。
【００３９】
ここで、品質情報保持部２１０は、収集された品質ログ情報、及び無線端末システム２００の位置情報に基づいて接続履歴のあるアクセスポイントに接続した位置に関する情報、接続履歴のあるアクセスポイントの識別子に関する情報、及び接続履歴のあるアクセスポイントの品質情報を含む端末生成品質ログ情報を生成してもよい。即ち、アクセスポイントと無線端末システム２００との間の無線リンクの品質は、アクセスポイントに対する無線端末システム２００の相対的位置によって変わってもよい。したがって、無線端末システム２００は、品質情報保持部２１０を介して無線端末システム２００の位置ごとに接続可能なアクセスポイントに関する情報を端末生成品質ログ情報として生成して保持してもよい。上述した無線端末システム２００の位置情報は、一例として、ＧＰＳ（Ｇｌｏｂａｌ  Ｐｏｓｉｔｉｏｎｉｎｇ  Ｓｙｓｔｅｍ）を用いた緯度／経度情報を含んでもよい。
【００４０】
上述した品質情報は、接続履歴のあるアクセスポイントとの無線リンクの品質が定量化された少なくとも１つの値を含んでもよい。一例として、少なくとも１つの値は、接続履歴のあるアクセスポイントとの平均データ送信速度、最大データ送信速度、最小データ送信速度、及び信号強度のうち少なくとも１つに対する値を含んでもよい。このような値を用いて無線リンクの品質を定量化する方法は、既に周知の方法のうちの１つの方法を用いてもよい。例えば、無線端末システム２００とアクセスポイントとの間の受信信号の強度に関する情報のＲＳＳＩ（Ｒｅｃｅｉｖｅｄ  Ｓｉｇｎａｌ  Ｓｔｒｅｎｇｔｈ  Ｉｎｄｉｃａｔｏｒ）を無線リンクの品質を定量化するために用いてもよい。無線ＬＡＮなどのネットワークにおいて無線リンクの品質を測定する方法は、既に良く知られているため、詳しい説明は省略する。
【００４１】
また、識別子に関する情報は、一例として、接続履歴のあるアクセスポイントのＳＳＩＤ、及びＭＡＣアドレスのうち少なくとも１つを含んでもよい。即ち、複数のアクセスポイントを識別可能なすべての情報のうちの１つを識別子に関する情報として用いてもよい。
【００４２】
アクセスポイント選択部２２０は、アクセスポイントに接続しようとする場合、端末生成品質ログ情報に基づいて接続可能なアクセスポイントのうちの１つを選択する。上述したように、端末生成品質ログ情報は、アクセスポイント別の品質情報を含んでもよく、位置ごとのアクセスポイントの品質情報を含んでもよい。したがって、アクセスポイント選択部２２０は、一例として、品質情報に係る値が最も高いアクセスポイントを選択してもよく、または位置に係る品質情報に基づいて接続履歴のあるアクセスポイントのうちの１つを選択してもよい。即ち、現在の位置に対応する位置で接続可能なアクセスポイントのうちで品質情報の値が最も大きいアクセスポイントがアクセスポイント選択部２２０によって選択されてもよい。ここで、アクセスポイント選択部２２０は、前記位置と現在の位置とが一致しない場合、位置の差異に対する加重値を品質情報に付与してもよい。
【００４３】
端末生成品質ログ情報が最近の接続時間に関する情報をさらに含み、最も大きい値の品質情報を有するアクセスポイントが２つ以上である場合、アクセスポイント選択部２２０は、２つ以上のアクセスポイントのうち最も最近接続したアクセスポイントを最近の接続時間に関する情報を介して確認して選択してもよい。即ち、最近の接続時間に関する情報は、無線端末システム２００が接続履歴のあるアクセスポイントに最も最近接続した時間に関する情報を含んでもよい。
【００４４】
また、アクセスポイント選択部２２０は、端末生成品質ログ情報だけでなく、現在の検索されるアクセスポイントの信号強度情報、及び検索されるアクセスポイントの品質ログ情報のうち少なくとも１つをさらに用いて接続可能なアクセスポイントのうちの１つを選択してもよい。例えば、無線端末システム２００と接続履歴がないアクセスポイントに関する情報は、端末生成品質ログ情報に含まれていないために、新しい地域やアクセスポイントが追加された地域では新しいアクセスポイントに対する信号強度情報または品質ログ情報を用いてアクセスポイントの選択に反映してもよい。また、過去に測定された信号強度情報と現在測定される信号強度情報とが異なることもあるため、アクセスポイント選択部２２０は、現在の検索されるアクセスポイントの信号強度情報や品質ログ情報をさらに用いてアクセスポイントを選択してもよい。ここで、アクセスポイントの品質ログ情報は、無線端末システムが収集及び生成、管理する無線リンクの品質情報を意味してもよい。
【００４５】
リクエスト送信部２３０は、選択されたアクセスポイントに接続要求を送信する。ここで、選択されたアクセスポイントは、接続要求に基づいて無線端末システム２００に無線インターネットなどのサービスを提供してもよい。
【００４６】
このように、無線端末システム２００は、接続履歴のあるアクセスポイントに対する端末生成品質ログ情報を生成及び保持し、接続するためのアクセスポイントの選択に用いることによって、より良いサービス品質を提供するアクセスポイントを選択してもよく、無線端末システム２００がアクセスポイントに接続する時の位置情報をさらに用いることによって、位置ごとの品質情報を介して現在の位置で最上のサービス品質を提供するアクセスポイントを選択してもよい。
【００４７】
また、無線端末システム２００は、自身が生成した端末生成品質ログ情報を他の無線端末システム２００と共有してもよい。一実施形態において、無線端末システム２００は、選択されたアクセスポイントに端末生成品質ログ情報を送信する情報送信部（図示せず）をさらに含んでもよい。この場合、送信された端末生成品質ログ情報は、選択されたアクセスポイントから少なくとも１つの他の無線端末システムに送信して共有されてもよい。ここで、選択されたアクセスポイントは、端末生成品質ログ情報をブロードキャスティングしてもよく、他のネットワークと通信して他の無線端末システムに送信してもよい。他の実施形態において、無線端末システム２００は、端末生成品質ログ情報を少なくとも１つの他の無線端末システムに送信する情報送信部（図示せず）をさらに含んでもよい。ここで、上述した端末生成品質ログ情報は、ブルートゥースやワイファイなどの近距離無線通信を用いて送信されて共有されてもよく、ＳＮＳ（Ｓｏｃｉａｌ  Ｎｅｔｗｏｒｋｉｎｇ  Ｓｅｒｖｉｃｅ）を用いて特定無線端末システムに送信されて共有されてもよい。ここで、端末生成品質ログ情報が共有されて１つの無線端末システムに複数の端末生成品質ログ情報が含まれる場合、それぞれの端末生成品質ログ情報にソース（ｓｏｕｒｃｅ）を記録して複数の端末生成品質ログ情報を区別してもよい。例えば、それぞれの端末生成品質ログ情報に該当端末生成品質ログ情報を生成した無線端末システムの識別子が記録されてもよい。
【００４８】
図３は、本発明の一実施形態において、無線通信システムの内部構成を説明するためのブロック図である。本実施形態に係る無線通信システム３００は、少なくともアクセスポイントを含むシステムであってもよい。ここで、無線通信システム３００は、リクエスト受信部３１０及びサービス提供部３２０を基本的に含み、図２で説明した端末生成品質ログ情報の無線端末機間の共有のために情報受信部３３０及び情報送信部３４０を必要に応じてさらに含んでもよい。
【００４９】
リクエスト受信部３１０は、無線端末機に含まれる端末生成品質ログ情報に基づいて無線端末機でアクセスポイントが選択される場合、無線端末機の接続要求を受信する。ここで、無線端末機は、図２で説明した無線端末システム２００に対応してもよい。即ち、図２で説明したように、端末生成品質ログ情報は、無線端末機と接続履歴のあるアクセスポイントの品質ログ情報を介して無線端末機で生成される。
【００５０】
ここで、端末生成品質ログ情報は、接続履歴のあるアクセスポイントに無線端末機が接続した位置に関する情報、接続履歴のあるアクセスポイントの識別子に関する情報、及び接続履歴のあるアクセスポイントの品質情報を含んでもよい。例えば、無線端末機は、アクセスポイントに接続する度に該当アクセスポイントを識別するための識別子に関する情報、該当アクセスポイントに接続する時の無線端末機の位置に関する情報、そして該当アクセスポイントの品質情報を端末生成品質ログ情報として生成してもよい。または既に端末生成品質ログ情報が存在する場合、端末生成品質ログ情報を更新してもよい。
【００５１】
ここで、品質情報は、接続履歴のあるアクセスポイントと無線端末機との間の無線リンクの品質が定量化された少なくとも１つの値を用いて算出されてもよい。例えば、少なくとも１つの値は、前記接続履歴のあるアクセスポイントとの平均データ送信速度、最大データ送信速度、最小データ送信速度、及び信号強度のうち少なくとも１つに対する値を含んでもよい。例えば、無線端末システム２００とアクセスポイントとの間の受信信号の強度に関する情報のＲＳＳＩ（Ｒｅｃｅｉｖｅｄ  Ｓｉｇｎａｌ  Ｓｔｒｅｎｇｔｈ  Ｉｎｄｉｃａｔｏｒ）を無線リンクの品質を定量化するために用いてもよい。上述したように、無線リンクの品質を測定することは既に良く知られているため、詳しい説明は省略する。
【００５２】
また、図３の無線通信システム３００が含むアクセスポイントは、無線端末機が接続可能なアクセスポイントのうちの１つを決定することによって選択されてもよい。ここで、無線端末機は、位置に係る品質情報に基づいて接続可能なアクセスポイントのうちの１つを選択してもよい。ここで、無線端末機は、位置ごとに品質情報に係る値が最も高いアクセスポイントを無線リンクの品質が最も良いアクセスポイントとして選択してもよい。ここで、無線端末機は、端末生成品質ログ情報に含まれる位置と無線端末機の現在の位置とが一致しない場合、位置の差異に対する加重値を品質情報に付与してもよい。
【００５３】
上述した識別子に関する情報は、接続履歴のあるアクセスポイントのＳＳＩＤ及びＭＡＣアドレスのうち少なくとも１つを含んでもよい。例えば、ＳＳＩＤとＭＡＣアドレスとを全て用いる場合には、アクセスポイントのユニーク性をより高めることができる。
【００５４】
また、端末生成品質ログ情報は、接続履歴のあるアクセスポイントに最も最近接続した時間に関する情報をさらに含んでもよい。即ち、無線端末機が格納するアクセスポイントに関する情報は、時間によって変わり得るため、最も最近格納された情報がより正確であると判断してもよい。したがって、無線端末機は、上述した最近接続した時間に関する情報をアクセスポイントの選択にさらに用いてもよい。
【００５５】
また、上述したように、無線端末機が格納するアクセスポイントに関する情報である端末生成品質ログ情報は、時間によって現在の情報と差異が現れることがある。したがって、無線端末機は、アクセスポイントの選択において、現在の無線端末機で検索されるアクセスポイントの信号強度情報、及び検索されるアクセスポイントの品質ログ情報のうち少なくとも１つをさらに用いてもよい。ここで、アクセスポイントの品質ログ情報は、無線端末システムが収集及び生成、管理する無線リンクの品質情報を意味してもよい。
【００５６】
サービス提供部３２０は、接続要求に応じて無線端末機に対するサービスを提供する。即ち、無線端末機が端末生成品質ログ情報を用いてアクセスポイントを選択し、無線通信システム３００が含むアクセスポイントが選択され、無線端末機から接続要求が受信されて認証される場合、サービス提供部３２０は、受信した接続要求に応じて無線インターネットなどのサービスを無線端末機に提供してもよい。
【００５７】
情報受信部３３０は無線端末機から端末生成品質ログ情報を受信し、情報送信部３４０は受信した端末生成品質ログ情報を接続する少なくとも１つの他の無線端末機に送信して共有する。即ち、端末生成品質ログ情報は、上述したように位置ごとの無線リンクの品質に関する情報を含んでもよいため、このような端末生成品質ログ情報は他の無線端末機でも有用に用いられることができる。したがって、無線通信システム３００は、必要に応じて情報受信部３３０と情報送信部３４０とを含み、無線通信システム３００が含むアクセスポイントに接続された無線端末機間でそれぞれの端末生成品質ログ情報を共有するようにしてもよい。
【００５８】
ここで、無線端末機は、端末生成品質ログ情報を少なくとも１つの他の無線端末機に直接送信して端末生成品質ログ情報を共有してもよい。例えば、無線端末機は、ブルートゥースやワイファイなどの近距離無線通信を用いて端末生成品質ログ情報を他の無線端末機に送信してもよく、ＳＮＳのような他のネットワーク通信を用いて端末生成品質ログ情報を他の無線端末機に送信してもよい。ここで、端末生成品質ログ情報が共有されて１つの無線端末機に複数の端末生成品質ログ情報が含まれる場合、それぞれの端末生成品質ログ情報にソースを記録して複数の端末生成品質ログ情報を区別してもよい。例えば、それぞれの端末生成品質ログ情報に該当端末生成品質ログ情報を生成した無線端末機の識別子が記録されてもよい。
【００５９】
図４は、本発明の一実施形態における、無線端末システムが行う接続方法を示すフローチャートである。本実施形態に係る接続方法は、図２で説明した無線端末システム２００によって行われてもよい。図４では、無線端末システム２００によってそれぞれのステップが行われる過程を説明することによって、接続方法を説明する。
【００６０】
ステップＳ４１０において、無線端末システム２００は接続履歴のあるアクセスポイントの品質ログ情報を収集して端末生成品質ログ情報を生成及び保持する。即ち、無線端末システム２００は、アクセスポイントに接続する度に接続したアクセスポイントの品質ログ情報を収集してもよく、収集された品質ログ情報を用いて端末生成品質ログ情報を生成して格納し、追加的に品質ログ情報が受信される場合、格納された端末生成品質ログ情報を更新して保持してもよい。
【００６１】
ここで、無線端末システム２００は、収集された品質ログ情報及び無線端末システム２００の位置情報に基づいて接続履歴のあるアクセスポイントに接続した位置に関する情報、接続履歴のあるアクセスポイントの識別子に関する情報、及び接続履歴のあるアクセスポイントの品質情報を含む端末生成品質ログ情報を生成してもよい。即ち、アクセスポイントと無線端末システム２００との間の無線リンクの品質は、アクセスポイントに対する無線端末システム２００の相対的位置によって変わってもよい。したがって、無線端末システム２００は、ステップＳ４１０において無線端末システム２００の位置ごとに接続可能なアクセスポイントに関する情報を端末生成品質ログ情報として生成して保持してもよい。上述した無線端末システム２００の位置情報は、一例として、ＧＰＳを用いた緯度／経度情報を含んでもよい。
【００６２】
上述した品質情報は、接続履歴のあるアクセスポイントとの無線リンクの品質が定量化された少なくとも１つの値を含んでもよい。一例として、少なくとも１つの値は、接続履歴のあるアクセスポイントとの平均データ送信速度、最大データ送信速度、最小データ送信速度、及び信号強度のうち少なくとも１つに対する値を含んでもよい。このような値を用いて無線リンクの品質を定量化する方法は、既に周知の方法のうちの１つの方法を用いてもよい。例えば、無線端末システム２００とアクセスポイントとの間の受信信号の強度に関する情報のＲＳＳＩを無線リンクの品質を定量化するために用いてもよい。無線ＬＡＮなどのネットワークにおいて、無線リンクの品質を測定する方法は既に良く知られているため、詳しい説明は省略する。
【００６３】
また、識別子に関する情報は、一例として、接続履歴のあるアクセスポイントのＳＳＩＤ及びＭＡＣアドレスのうち少なくとも１つを含んでもよい。即ち、複数のアクセスポイントを識別可能なすべての情報のうちの１つを識別子に関する情報として用いてもよい。
【００６４】
ステップＳ４２０において、無線端末システム２００は、アクセスポイントに接続しようとする場合、端末生成品質ログ情報に基づいて接続可能なアクセスポイントのうちの１つを選択する。上述したように、端末生成品質ログ情報は、アクセスポイント別の品質情報を含んでもよく、位置別アクセスポイントの品質情報を含んでもよい。したがって、無線端末システム２００は、一例として、品質情報に係る値が最も高いアクセスポイントを選択してもよく、または位置に係る品質情報に基づいて接続履歴のあるアクセスポイントのうちの１つを選択してもよい。即ち、現在の位置に対応する位置で接続可能なアクセスポイントのうちで品質情報の値が最も大きいアクセスポイントが無線端末システム２００によって選択されてもよい。ここで、無線端末システム２００は、前記位置と現在の位置とが一致しない場合、位置の差異に対する加重値を品質情報に付与してもよい。
【００６５】
端末生成品質ログ情報が最近の接続時間に関する情報をさらに含み、最も大きい値の品質情報を有するアクセスポイントが２つ以上である場合、無線端末システム２００は、２つ以上のアクセスポイントのうち最も最近接続したアクセスポイントを最近の接続時間に関する情報を介して確認して選択してもよい。即ち、最近の接続時間に関する情報は、無線端末システム２００が接続履歴のあるアクセスポイントに最も最近接続した時間に関する情報を含んでもよい。
【００６６】
また、無線端末システム２００は、端末生成品質ログ情報だけでなく、現在の検索されるアクセスポイントの信号強度情報、及び検索されるアクセスポイントの品質ログ情報のうち少なくとも１つをさらに用いて接続可能なアクセスポイントのうちの１つを選択してもよい。例えば、無線端末システム２００と接続履歴がないアクセスポイントに関する情報は、端末生成品質ログ情報に含まれていないために、新しい地域やアクセスポイントが追加された地域では新しいアクセスポイントに対する信号強度情報または品質ログ情報を用いてアクセスポイントの選択に反映してもよい。また、過去に測定された信号強度情報と現在測定される信号強度情報とが異なることもあるため、無線端末システム２００は、現在の検索されるアクセスポイントの信号強度情報や品質ログ情報をさらに用いてアクセスポイントを選択してもよい。ここで、アクセスポイントの品質ログ情報は、無線端末システムが収集及び生成、管理する無線リンクの品質情報を意味してもよい。
【００６７】
ステップＳ４３０において、無線端末システム２００は、選択されたアクセスポイントに接続要求を送信する。ここで、選択されたアクセスポイントは、接続要求に基づいて無線端末システム２００に無線インターネットなどのサービスを提供してもよい。
【００６８】
このように、無線端末システム２００は、接続履歴のあるアクセスポイントに対する端末生成品質ログ情報を生成及び保持し、接続するためのアクセスポイントの選択に用いることによって、より良いサービス品質を提供するアクセスポイントを選択してもよく、無線端末システム２００がアクセスポイントに接続する時の位置情報をさらに用いることによって、位置ごとの品質情報を介して現在の位置で最上のサービス品質を提供するアクセスポイントを選択してもよい。
【００６９】
また、無線端末システム２００は、自身が生成した端末生成品質ログ情報を他の無線端末システム２００と共有してもよい。一実施形態において、無線端末システム２００は、選択されたアクセスポイントに端末生成品質ログ情報を送信するステップ（図示せず）をさらに含んでもよい。この場合、送信された端末生成品質ログ情報は、選択されたアクセスポイントから少なくとも１つの他の無線端末システムに送信して共有されてもよい。ここで、選択されたアクセスポイントは、端末生成品質ログ情報をブロードキャスティングしてもよく、他のネットワークと通信して他の無線端末システムに送信してもよい。他の実施形態において、無線端末システム２００は、端末生成品質ログ情報を少なくとも１つの他の無線端末システムに送信するステップ（図示せず）をさらに含んでもよい。ここで、上述した端末生成品質ログ情報は、ブルートゥースやワイファイなどの近距離無線通信を用いて送信されて共有されてもよく、ＳＮＳを用いて特定無線端末システムに送信されて共有されてもよい。ここで、端末生成品質ログ情報が共有されて１つの無線端末システムに複数の端末生成品質ログ情報が含まれる場合、それぞれの端末生成品質ログ情報にソースを記録して複数の端末生成品質ログ情報を区別してもよい。例えば、それぞれの端末生成品質ログ情報に該当端末生成品質ログ情報を生成した無線端末システムの識別子が記録されてもよい。
【００７０】
図５は、本発明の一実施形態における、無線通信システムが行うサービス提供方法を示すフローチャートである。本実施形態に係るサービス提供方法は、図３で説明した無線通信システム３００によって行われてもよい。図５では、無線通信システム３００によってそれぞれのステップが行われる過程を説明することによって、サービス提供方法を説明する。
【００７１】
ステップＳ５１０において、無線通信システム３００は、無線端末機に含まれる端末生成品質ログ情報に基づいて無線端末機でアクセスポイントが選択される場合、無線端末機の接続要求を受信する。ここで、無線端末機は、図２で説明した無線端末システム２００に対応してもよい。即ち、図２で説明したように、端末生成品質ログ情報は、無線端末機と接続履歴のあるアクセスポイントの品質ログ情報を介して無線端末機で生成される。
【００７２】
ここで、端末生成品質ログ情報は、接続履歴のあるアクセスポイントに無線端末機が接続した位置に関する情報、接続履歴のあるアクセスポイントの識別子に関する情報、及び接続履歴のあるアクセスポイントの品質情報を含んでもよい。例えば、無線端末機は、アクセスポイントに接続する度に該当アクセスポイントを識別するための識別子に関する情報、該当アクセスポイントに接続する時の無線端末機の位置に関する情報、そして該当アクセスポイントの品質情報を端末生成品質ログ情報として生成してもよい。または、既に端末生成品質ログ情報が存在する場合、端末生成品質ログ情報を更新してもよい。
【００７３】
ここで、品質情報は、接続履歴のあるアクセスポイントと無線端末機との間の無線リンクの品質が定量化された少なくとも１つの値を用いて算出されてもよい。例えば、少なくとも１つの値は、前記接続履歴のあるアクセスポイントとの平均データ送信速度、最大データ送信速度、最小データ送信速度、及び信号強度のうち少なくとも１つに対する値を含んでもよい。上述したように、無線リンクの品質を測定することは、既に良く知られているため、詳しい説明は省略する。
【００７４】
また、図３の無線通信システム３００が含むアクセスポイントは、無線端末機が接続可能なアクセスポイントのうちの１つを決定することによって選択されてもよい。ここで、無線端末機は、位置に係る品質情報に基づいて接続可能なアクセスポイントのうちの１つを選択してもよい。例えば、無線端末機は、位置ごとに品質情報に係る値が最も高いアクセスポイントを無線リンクの品質が最も良いアクセスポイントとして選択してもよい。ここで、無線端末機は、端末生成品質ログ情報に含まれる位置と無線端末機の現在の位置とが一致しない場合、位置の差異に対する加重値を品質情報に付与してもよい。
【００７５】
上述した識別子に関する情報は、接続履歴のあるアクセスポイントのＳＳＩＤ及びＭＡＣアドレスのうち少なくとも１つを含んでもよい。例えば、ＳＳＩＤとＭＡＣアドレスを全て用いる場合には、アクセスポイントのユニーク性をより高めることができる。
【００７６】
また、端末生成品質ログ情報は、接続履歴のあるアクセスポイントに最も最近接続した時間に関する情報をさらに含んでもよい。即ち、無線端末機が格納するアクセスポイントに関する情報は、時間によって変わり得るため、最も最近格納された情報がより正確であると判断してもよい。したがって、無線端末機は、上述した最近接続した時間に関する情報をアクセスポイントの選択にさらに用いてもよい。
【００７７】
また、上述したように、無線端末機が格納するアクセスポイントに関する情報である端末生成品質ログ情報は、時間によって現在の情報と差異が現れることがある。したがって、無線端末機は、アクセスポイントの選択において、現在の無線端末機で検索されるアクセスポイントの信号強度情報、及び検索されるアクセスポイントの品質ログ情報のうち少なくとも１つをさらに用いてもよい。ここで、アクセスポイントの品質ログ情報は、無線端末システムが収集及び生成、管理する無線リンクの品質情報を意味してもよい。
【００７８】
ステップＳ５２０において、無線通信システム３００は、接続要求に応じて無線端末機に対するサービスを提供する。即ち、無線端末機が端末生成品質ログ情報を用いてアクセスポイントを選択し、無線通信システム３００が含むアクセスポイントが選択され、無線端末機から接続要求が受信されて認証される場合、サービス提供部３２０は、受信した接続要求に応じて無線インターネットなどのサービスを無線端末機に提供してもよい。
【００７９】
無線通信システム３００において、ステップＳ５３０では無線端末機から端末生成品質ログ情報を受信し、ステップＳ５４０では受信した端末生成品質ログ情報を接続する少なくとも１つの他の無線端末機に送信して共有する。即ち、端末生成品質ログ情報は、上述したように、位置別無線リンクの品質に関する情報を含んでもよいため、このような端末生成品質ログ情報は、他の無線端末機でも有用に用いられることができる。したがって、無線通信システム３００は、必要に応じてステップＳ５３０及び５４０を行って、無線通信システム３００が含むアクセスポイントに接続された無線端末機間でそれぞれの端末生成品質ログ情報を共有するようにしてもよい。
【００８０】
ここで、無線端末機は、端末生成品質ログ情報を少なくとも１つの他の無線端末機に直接送信して端末生成品質ログ情報を共有してもよい。例えば、無線端末機は、ブルートゥースやワイファイなどの近距離無線通信を用いて端末生成品質ログ情報を他の無線端末機に送信してもよく、ＳＮＳのような他のネットワーク通信を用いて端末生成品質ログ情報を他の無線端末機に送信してもよい。ここで、端末生成品質ログ情報が共有されて１つの無線端末機に複数の端末生成品質ログ情報が含まれる場合、それぞれの端末生成品質ログ情報にソースを記録して複数の端末生成品質ログ情報を区別してもよい。例えば、それぞれの端末生成品質ログ情報に該当端末生成品質ログ情報を生成した無線端末機の識別子が記録されてもよい。
【００８１】
このように、本発明の実施形態によれば、無線端末機で接続履歴のあるアクセスポイントの品質ログ情報を収集してアクセスポイント別の品質ログ情報を生成及び保持し、保持されたアクセスポイント別の品質情報を用いてアクセスポイントを選択することによって、より良いサービス品質を提供するアクセスポイントを選択してもよく、無線端末機がアクセスポイントに接続する時の位置情報をさらに用いることによって、位置別の品質情報を介して現在の位置で最上のサービス品質を提供するアクセスポイントを選択してもよい。
【００８２】
また、現在の無線端末機で検索されるアクセスポイントの信号強度情報、またはアクセスポイントから受信するアクセスポイントの品質ログ情報をさらに用いてアクセスポイントを選択することによって、より良いサービス品質を提供するアクセスポイントを選択してもよい。
【００８３】
さらに、無線端末機で保持するアクセスポイントに対する品質情報を直接他の無線端末機に送信して共有してもよく、アクセスポイントを介して他の無線端末機に送信して共有してもよい。
【００８４】
本発明の実施形態に係る方法は、多様なコンピュータ手段によって行うことができるプログラム命令形態で実現され、コンピュータ読み出し可能媒体に記録してもよい。前記記録媒体は、プログラム命令、データファイル、データ構造などを単独または組み合わせたものを含んでもよい。前記記録媒体及びプログラム命令は、本発明の目的のために特別に設計して構成されたものでもよく、コンピュータソフトウェア分野の技術を有する当業者にとって公知のものであり使用可能なものであってもよい。また、上述したファイルシステムは、コンピュータ読み出し可能媒体に記録されてもよい。
【００８５】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００８６】
したがって、本発明の範囲は、開示された実施形態に限定されて定められるものではなく、特許請求の範囲及び特許請求の範囲と均等なものなどによって定められるものである。
【符号の説明】
【００８７】
２００：無線端末システム
２１０：品質情報保持部
２２０：アクセスポイント選択部
２３０：リクエスト送信部
【図１】
0006021368.tif 000003
【図２】
0006021368.tif 000004
【図３】
0006021368.tif 000005
【図４】
0006021368.tif 000006
【図５】
0006021368.tif 000007